(57)【要約】【課題】利用者の個人情報を登録することなく、コンテンツ配信者が不特定多数に配信するコンテンツの中から、利用者が所望するコンテンツだけを閲覧および操作可能にするコンテンツ配信システムを提供することを目的とする。【解決手段】特定地域の範囲内にコンテンツを配信する配信端末と、コンテンツを受信および中継し所望のコンテンツのみを閲覧可能にする受信端末とを設けたことを特徴とするコンテンツ配信システムを提供する。【選択図】　図２
2004110645.tif 000002
【特許請求の範囲】
【請求項１】
特定地域の範囲内において、コンテンツ配信者から不特定多数の受信者に対してコンテンツを配信するシステムであって、
特定地域の範囲内にコンテンツを配信する配信端末と、
前記コンテンツを受信および中継し、所望のコンテンツのみを閲覧可能にする受信端末と、
を備えることを特徴とするコンテンツ配信システム。
【請求項２】
請求項１記載のコンテンツ配信システムであって、
前記コンテンツが、
１種類、または複数種類のカテゴリに情報を分類する分類情報、
を備えることを特徴とするコンテンツ配信システム。
【請求項３】
請求項１または２記載のコンテンツ配信システムであって、前記コンテンツが、
該コンテンツを削除可能な時刻、または情報の有効期間を示す閲覧可能時間情報、
を備えることを特徴とするコンテンツ配信システム。
【請求項４】
請求項１から３のいずれかに記載のコンテンツ配信システムであって、
前記コンテンツが、
改ざんが行われていないことを証明する保証情報、
を備えることを特徴とするコンテンツ配信システム。
【請求項５】
請求項１から４のいずれかに記載のコンテンツ配信システムであって、
前記コンテンツが、
該コンテンツを配信または中継した端末を特定する端末識別情報、および該端末が該コンテンツを配信した配信時刻情報、および中継回数から成る配信履歴情報、
を備えることを特徴とするコンテンツ配信システム。
【請求項６】
請求項１から５のいずれかに記載のコンテンツ配信システムであって、
前記配信端末が、
配信するコンテンツを記憶する記憶手段と、
該配信端末の周辺に受信端末が存在する場合に、該受信端末に対してコンテンツを配信する配信手段と、
を備えることを特徴とするコンテンツ配信システム。
【請求項７】
請求項１から６のいずれかに記載のコンテンツ配信システムであって、
前記受信端末が、
前記コンテンツを自動的に受信する受信手段と、
受信したコンテンツを蓄積する蓄積手段と、
閲覧したいコンテンツのコンテンツ条件を設定する条件設定手段と、
前記コンテンツ条件に該当する前記記録手段に記録したコンテンツのみを閲覧および操作する閲覧操作手段と、
を備えることを特徴とするコンテンツ配信システム。
【請求項８】
請求項１から７のいずれかに記載のコンテンツ配信システムであって、
前記受信端末が、
前記保証情報に基づき、受信したコンテンツが改ざんされていないことを確認する改ざん確認手段、
を備えることを特徴とするコンテンツ配信システム。
【請求項９】
請求項１から８のいずれかに記載のコンテンツ配信システムであって、
前記受信端末が、
該受信端末周辺に第２の受信端末を検知した場合に、前記蓄積手段に蓄積した前記コンテンツを、前記第２の受信端末に中継する中継手段、
を備えることを特徴とするコンテンツ配信システム。
【請求項１０】
請求項１から９のいずれかに記載のコンテンツ配信システムであって、
前記受信端末が、
前記蓄積手段に蓄積した前記コンテンツに対して、情報を追加・更新する情報書き込み手段、
を備えることを特徴とするコンテンツ配信システム。
【請求項１１】
請求項１から１０のいずれかに記載のコンテンツ配信システムであって、
前記受信端末が、
前記蓄積手段に蓄積したコンテンツの各々が、
前記コンテンツ条件に合致しない、
または前記閲覧可能時間情報により指定された時間を超過した、
または前記改ざん確認手段により改ざんを確認した、
または中継回数が一定の回数を超えた、
または予め受信端末に設定した受信後からの一定時間を経過した、
などの消去可能な状態を検知し、該コンテンツを前記蓄積手段より自動的に消去する消去手段、
を備えることを特徴とするコンテンツ配信システム。
【請求項１２】
請求項１から１１のいずれかに記載のコンテンツ配信システムであって、
前記受信端末が、
閲覧操作手段により、前記コンテンツ条件に合致する前記コンテンツを閲覧した際、該コンテンツ配信者に対して閲覧情報および該コンテンツの配信履歴情報を送信する閲覧配信履歴送信手段、
を備えることを特徴とするコンテンツ配信システム。
【請求項１３】
請求項１から１２のいずれかに記載のコンテンツ配信システムであって、
前記閲覧情報および配信履歴情報を受信し、該コンテンツの効果を検証する閲覧結果検証端末、
を備えることを特徴とするコンテンツ配信システム。
【請求項１４】
請求項１から１３のいずれかに記載のコンテンツ配信システムであって、
前記閲覧結果検証端末が、
前記受信端末が送信した閲覧情報および配信履歴情報を自動的に受信する閲覧配信履歴受信手段と、
該閲覧情報および配信履歴情報を記録する閲覧配信履歴記録手段と、
該閲覧情報および配信履歴情報に基づいて、該コンテンツの効果を検証する検証手段と、
該検証結果を送信する送信手段と、
を備えることを特徴とするコンテンツ配信システム。
【請求項１５】
請求項１から１４のいずれかに記載のコンテンツ配信システムであって、
前記配信端末、前記受信端末、前記閲覧結果検証端末の各々が、
無線ＬＡＮまたはブルートゥースなどの無線通信技術により通信を行う、
ことを特徴とするコンテンツ配信システム。
【請求項１６】
請求項１から１５のいずれかに記載のコンテンツ配信システムであって、
前記受信端末が、
携帯電話機、携帯情報端末、またはパーソナルコンピュータである、
ことを特徴とするコンテンツ配信システム。
【発明の詳細な説明】
【０００１】
【発明の属する技術分野】
本発明は、特定地域の範囲内において、コンテンツ配信者から受信者を特定せずにコンテンツを配信するシステムに関するものである。
【０００２】
【従来の技術】
従来、インターネット環境において所望するカテゴリのコンテンツを得るためには、Ｗｅｂブラウザ（以下、単にブラウザという）で所望のＷｅｂページを閲覧したり、電子メールにより予め登録したカテゴリの情報の配信を受けることが行われている。
【０００３】
また、所謂プッシュ型コンテンツ配信技術を用いて一定間隔で配信されるコンテンツを、端末で受信することも可能である。ニュースのような速報性が必要なコンテンツだけでなく、特に移動端末では、特定の地域範囲や特定の時間帯にのみ価値を有するコンテンツを受信することが可能である。
【０００４】
しかしながら、従来には、以下の問題がある。すなわち、ブラウザを用いてＷｅｂページを閲覧する方法では、希望する情報にたどり着くまでに多くの操作を必要とし、入力すべきＵＲＬ（Ｕｎｉｆｏｒｍｅｄ　Ｒｅｓｏｕｒｃｅ　Ｌｏｃａｔｏｒ）を覚えておく必要があり、長い文字列を入力する手間も掛る。
【０００５】
また、プッシュ型のコンテンツ配信においては、１つの端末に様々なコンテンツが配信されることになるので、利用者は受信したコンテンツの中から自分が必要とするコンテンツを選択し、記憶させるなどの作業を行う必要がある。
【０００６】
係る問題を解決するために、端末側にコンテンツを収集する条件を設定し、特定の地域範囲内に設置されたコンテンツ配信サーバが配信するコンテンツから、利用者が所望するコンテンツだけを収集して記録する移動端末が提案されている（例えば、特許文献１参照。）。
【０００７】
また、電子メールを配信する方法では、利用者の望む内容や配信のタイミングに合わせて配信することができないため、利用者に迷惑メールと同様な不快感を与えることがある。
【０００８】
更に、電子メールを配信する方法では、予めコンテンツ配信者が有するサーバなどに、利用者の興味あるカテゴリなどの個人情報を登録する必要があり、個人情報を登録することに抵抗感がある。
【０００９】
また、コンテンツの配信者から見ると、配信したコンテンツを何人の利用者が閲覧し、それにより購買行動などのアクションを起こしたか否かを把握する方法がない。
【００１０】
【特許文献１】
特開２００２−１７６４０３号公報
【００１１】
【発明が解決しようとする課題】
本発明は、上述の問題に鑑みてなされたものであり、利用者の個人情報を登録することなく、コンテンツ配信者が不特定多数に配信するコンテンツの中から、利用者が所望するコンテンツだけを、閲覧および操作可能にするコンテンツ配信システムを提供することを目的とする。
【００１２】
【課題を解決するための手段】
上記目的を達成するために、本発明の第１の態様は、特定地域の範囲内においてコンテンツ配信者から不特定多数の受信者に対してコンテンツを配信するシステムにおいて、特定地域の範囲内にコンテンツを配信する配信端末と、前記コンテンツを受信および中継し所望のコンテンツのみを閲覧可能にする受信端末とを設けたものである。
【００１３】
本発明の第２の態様は、上述の第１の態様に係るコンテンツ配信システムにおいて、前記コンテンツに、１種類または複数種類のカテゴリに情報を分類する分類情報を設けたものである。
【００１４】
本発明の第３の態様は、上述の第１または２の態様に係るコンテンツ配信システムにおいて、前記コンテンツに、該コンテンツを削除可能な時刻または情報の有効期間を示す閲覧可能時間情報を設けたものである。
【００１５】
本発明の第４の態様は、上述の第１から３の態様に係るコンテンツ配信システムにおいて、前記コンテンツに、改ざんが行われていないことを証明する保証情報を設けたものである。
【００１６】
本発明の第５の態様は、上述の第１から４の態様に係るコンテンツ配信システムにおいて、前記コンテンツに、該コンテンツを配信または中継した端末を特定する端末識別情報および該端末が該コンテンツを配信した配信時刻情報および中継回数から成る配信履歴情報を設けたものである。
【００１７】
本発明の第６の態様は、上述の第１から５の態様に係るコンテンツ配信システムにおいて、前記配信端末に、配信するコンテンツを記憶する記憶手段と、該配信端末の周辺に受信端末が存在する場合に該受信端末に対してコンテンツを配信する配信手段とを設けたものである。
【００１８】
本発明の第７の態様は、上述の第１から６の態様に係るコンテンツ配信システムにおいて、前記受信端末に、前記コンテンツを自動的に受信する受信手段と、受信したコンテンツを蓄積する蓄積手段と、閲覧したいコンテンツのコンテンツ条件を設定する条件設定手段と、前記コンテンツ条件に該当する前記記録手段に記録したコンテンツのみを閲覧および操作する閲覧操作手段とを設けたものである。
【００１９】
本発明の第８の態様は、上述の第１から７の態様に係るコンテンツ配信システムにおいて、前記受信端末に、前記保証情報に基づき受信したコンテンツが改ざんされていないことを確認する改ざん確認手段を設けたものである。
【００２０】
本発明の第９の態様は、上述の第１から８の態様に係るコンテンツ配信システムにおいて、前記受信端末に、該受信端末周辺に第２の受信端末を検知した場合に前記蓄積手段に蓄積した前記コンテンツを前記第２の受信端末に中継する中継手段を設けたものである。
【００２１】
本発明の第１０の態様は、上述の第１から９の態様に係るコンテンツ配信システムにおいて、前記受信端末に、前記蓄積手段に蓄積した前記コンテンツに対して情報を追加・更新する情報書き込み手段を設けたものである。
【００２２】
本発明の第１１の態様は、上述の第１から１０の態様に係るコンテンツ配信システムであって、前記受信端末に、前記蓄積手段に蓄積したコンテンツの各々が、前記コンテンツ条件に合致しない、または前記閲覧可能時間情報により指定された時間を超過した、または前記改ざん確認手段により改ざんを確認した、または中継回数が一定の回数を超えた、または予め受信端末に設定した受信後からの一定時間を経過したなどの消去可能な状態を検知し該コンテンツを前記蓄積手段より自動的に消去する消去手段を設けたものである。
【００２３】
本発明の第１２の態様は、上述の第１から１１の態様に係るコンテンツ配信システムであって、前記受信端末に、閲覧操作手段により前記コンテンツ条件に合致する前記コンテンツを閲覧した際、該コンテンツ配信者に対して閲覧情報および該コンテンツの配信履歴情報を送信する閲覧配信履歴送信手段を設けたものである。
【００２４】
本発明の第１３の態様は、上述の第１から１２の態様に係るコンテンツ配信システムであって、前記閲覧情報および配信履歴情報を受信し該コンテンツの効果を検証する閲覧結果検証端末を設けたものである。
【００２５】
本発明の第１４の態様は、上述の第１から１３の態様に係るコンテンツ配信システムであって、前記閲覧結果検証端末に、前記受信端末が送信した閲覧情報および配信履歴情報を自動的に受信する閲覧配信履歴受信手段と、該閲覧情報および配信履歴情報を記録する閲覧配信履歴記録手段と、該閲覧情報および配信履歴情報に基づいて該コンテンツの効果を検証する検証手段と、該検証結果を送信する送信手段とを設けたものである。
【００２６】
本発明の第１５の態様は、上述の第１から１４の態様に係るコンテンツ配信システムであって、前記配信端末、前記受信端末、前記閲覧結果検証端末の各々が、無線ＬＡＮまたはブルートゥースなどの無線通信技術により通信を行うように構成したものである。
【００２７】
本発明の第１６の態様は、上述の第１から１５の態様に係るコンテンツ配信システムにおいて、前記受信端末を、携帯電話機、携帯情報端末、またはパーソナルコンピュータにより構成するようにしたものである。
【００２８】
【発明の実施の形態】
以下、本発明を図示する実施形態に基づいて説明する。図１は、本発明のコンテンツ配信システムで使用するコンテンツの例である。
【００２９】
コンテンツは、ＸＭＬ（ｅＸｔｅｎｓｉｂｌｅ　Ｍａｒｋｕｐ　Ｌａｎｇｕａｇｅ）などのマークアップ言語を用いて、タグと呼ばれる接頭および接尾語により、情報を構造化して記述したものである。画像、音声、動画などを含めることも可能である。各々のコンテンツは、識別ＩＤ、または名称により識別することができる。
【００３０】
コンテンツには、情報を「イベント情報」や「グルメ情報」などのカテゴリに分類する分類情報を、例えば「＜カテゴリ＞」、「＜／カテゴリ＞」のタグにより記述する。タグを複数記入することにより、複数のカテゴリの内容を一つのコンテンツに記述してもよい。
【００３１】
また、コンテンツには、１）コンテンツを削除して良い時刻、２）情報の有効期間、などの閲覧可能時間情報（コンテンツの寿命）を、例えば「＜閲覧可能時間＞」、「＜／閲覧可能時間＞」のタグにより記述する。各々のカテゴリの内容毎に閲覧可能時間情報を設定してもよい。
【００３２】
また、コンテンツには、コンテンツ作成者の電子署名、改ざん防止のためのハッシュ値など、コンテンツの原本性を保証する保証情報を付与することも可能である。
【００３３】
更に、コンテンツには、コンテンツを配信または中継した端末を特定する端末識別情報、および該端末がコンテンツを配信する配信時刻情報、および中継回数から成る配信履歴情報を、例えば「＜配信履歴＞」、「＜／配信履歴＞」のタグにより記述する。
【００３４】
図２は、本発明のコンテンツ配信システム１の一実施例を示すシステム構成図である。
【００３５】
配信端末２は、記憶手段４と、配信手段５を備え、特定の地域の範囲内において、無線通信により、不特定多数の受信者に対してコンテンツを配信するものである。
【００３６】
記憶手段４は、例えば磁気ディスクなどの記憶装置であり、ＸＭＬなどで作成したコンテンツを記憶するものである。
【００３７】
配信手段５は、配信端末２の周辺の一定範囲以内に受信端末３が存在するか否かを常に確認し、受信端末３が存在する場合は、記憶手段４に記憶したコンテンツを該受信端末３に対して配信するものである。
【００３８】
配信手段５は、コンテンツを配信する際に、配信端末２の端末識別情報、配信する配信時刻情報、中継回数「１」などの配信履歴情報をコンテンツに付加して配信する。
【００３９】
図３に、受信端末３の内部構造を示す。受信端末３は、受信手段６と、蓄積手段７と、条件設定手段８と、閲覧操作手段９、改ざん確認手段１０、中継手段１１、情報書き込み手段１２、消去手段１３、閲覧配信履歴送信手段１４を備えており、コンテンツを無線通信を介して受信し、閲覧するものである。受信端末３は、携帯電話、携帯情報端末、パーソナルコンピュータを用いることができる。
【００４０】
受信手段６は、受信端末３が、配信端末２の周辺の一定範囲内に近づいた時、自動的に配信端末２が配信したコンテンツを受信するものである。
【００４１】
蓄積手段７は、受信したコンテンツを蓄積するメモリである。蓄積したコンテンツは、既に同一のコンテンツを蓄積していない限りにおいて、メモリの容量の範囲内で、全てのコンテンツを蓄積する。蓄積件数を指定できるようにしてもよい。
【００４２】
条件設定手段８は、例えば、「イベント情報」などの興味があるコンテンツのカテゴリや、全文検索のためのキーワードなど、利用者が予め自分が閲覧を希望するコンテンツの条件を設定するものである。
【００４３】
閲覧操作手段９は、蓄積手段７からコンテンツを読み出し、条件設定手段８により設定したコンテンツ条件に合致するコンテンツだけを、閲覧および操作するものである。
【００４４】
改ざん確認手段１０は、コンテンツに付与されている保証情報に基づき、例えば公開鍵暗号方式により、コンテンツ作成者の電子署名を検証し、コンテンツが改ざんされていないかどうかを確認するものである。
【００４５】
中継手段１１は、受信端末３の周辺の一定範囲内に他の受信端末３が近づいた場合に、他の受信端末３に対して、蓄積手段７に蓄積したコンテンツを転送するものである。
【００４６】
中継手段１１を備えることにより、配信端末２が配信可能な範囲の外側に他の受信端末３が存在する場合、受信端末３が配信端末２に代わって、他の受信端末３へコンテンツの配信を行うことができる。
【００４７】
情報書き込み手段１２は、閲覧した結果や、他の受信端末３に転送する場合に、該受信端末２の端末識別情報、配信時刻、中継回数などの情報を蓄積手段７に蓄積したコンテンツに対して追加・更新するものである。
【００４８】
消去手段１３は、蓄積手段７に蓄積した各々のコンテンツにおいて、消去可能な状態を検知した場合、該コンテンツを蓄積手段７から消去するものである。
【００４９】
消去可能な状態とは、１）コンテンツ条件に合致しない、２）閲覧可能時間情報により指定された時間を超過した、３）改ざん確認手段により改ざんを確認した、４）中継回数が一定の回数を超えた、５）予め受信端末３に設定した受信後からの一定時間を経過した、などである。複数の状態の組み合わせでもよい。
【００５０】
閲覧配信履歴送信手段１４は、閲覧操作手段９により、コンテンツ条件に合致するコンテンツを閲覧した際に、誰がどのコンテンツを閲覧したかなどの閲覧情報および該コンテンツに記述されている配信履歴情報を、該コンテンツの配信者に対して送信するものである。
【００５１】
図４に、閲覧結果検証端末１５の内部構造を示す。閲覧結果検証端末１５は、閲覧配信履歴受信手段１６と、閲覧配信履歴記録手段１７と、検証手段１８と、送信手段１９を備えており、閲覧情報および配信履歴情報を受信し、該コンテンツの効果の検証を行うものである。閲覧結果検証端末１５は、配信端末２が兼ねてもよい。
【００５２】
閲覧配信履歴受信手段１６は、無線通信により、受信端末３が送信した閲覧情報および配信履歴情報を自動的に受信するものである。
【００５３】
閲覧配信履歴受信手段１７は、受信した閲覧情報および配信履歴情報を記憶する磁気ディスクなどの記憶装置である。
【００５４】
検証手段１８は、記憶した閲覧情報および配信履歴情報を、集計あるいは加工することにより、例えば、広告コンテンツなどにおいて、利用した人数の多いコンテンツ、閲覧したが利用しなかった数、配信端末２からの直接配信と受信端末３による中継のどちらが多いかなど、コンテンツの効果の検証を行うものである。
【００５５】
送信手段１９は、検証手段１８の検証結果により、利用者の受信端末３に対してお礼や関連する情報を送信するものである。該コンテンツが割引クーポンなどの場合は、「クーポン使用済み」のような情報を送信することも可能である。
【００５６】
なお、本明細書において、「無線通信」とは、無線ＬＡＮまたはブルートゥースなどであり、各々の端末は、自分の周辺の一定範囲内（例えば、１０ｍ）に送受信可能な他の端末が存在するか否かをスキャンしており、他の端末の存在を認識した場合に、該端末との接続を確立し、送受信を行うことができる。
【００５７】
受信端末３がコンテンツを中継し、配信端末２が通信可能な範囲外に対してもコンテンツを配信することができ、携帯電話にも搭載が進みつつあるブルートゥースを利用する方が好適である。
【００５８】
図５は、特定の地域範囲が遊園地などのエンタテイメント施設であり、施設内の２つの配信端末２１、２２、および２つの受信端末３１、３２が存在する場合の例である。
【００５９】
図５では、配信端末２１が、「イベント情報」および「グルメ情報」の２種類の情報を記載したコンテンツ４１を、配信端末２２が、「おみやげ情報」のコンテンツ４２を、予め各々の記憶手段４に記憶しており、コンテンツを配信可能な状態で待機している。
【００６０】
利用者は、条件設定手段８により、自分が興味を持つコンテンツ、あるいは当該の地域、時間帯において受信したいコンテンツの条件を設定する。例えば、受信端末３１が「グルメ情報」を、受信端末３２が「おみやげ情報」のカテゴリを設定したものとして説明する。
【００６１】
配信端末２１は、スキャンにより自分の周辺に受信端末３１を携帯した利用者が近づいたことを検知した場合、配信端末２１は、配信端末２１の端末識別情報、配信時刻情報、中継回数「１」などの配信履歴情報を記憶手段４に記憶しているコンテンツ４１に付加し、コンテンツ４１を受信端末３１に配信する。
【００６２】
受信端末３１は、受信手段６により、コンテンツ４１を自動的に受信する。コンテンツ４１が有する識別ＩＤに基づき、既にコンテンツ４１を蓄積していた場合は、コンテンツ４１を破棄する。
【００６３】
コンテンツ４１を初めて受信した場合は、改ざん確認手段１０が、コンテンツ４１に付与された保証情報に基づき、コンテンツ４１に改ざんがなく原本であることを確認し、蓄積手段７により、コンテンツ４１を蓄積する。改ざんされていた場合には、コンテンツ４１を破棄する。
【００６４】
また、受信端末３１は、自身の周辺に受信端末３２の存在を検知した場合、情報書き込み手段１２により、コンテンツ４１に対して、受信端末３１の端末識別情報、配信時刻情報、中継回数（コンテンツ４１に記述済みの中継回数に１を加算する）などの配信履歴情報をコンテンツ４１に付加し、中継手段１１により受信端末３２に対してコンテンツ４１を転送する。
【００６５】
利用者は、閲覧操作手段９により、蓄積したコンテンツ４１を閲覧、または操作するが、その際、閲覧操作手段９は、条件設定手段８により設定したコンテンツ条件を参照し、コンテンツ条件に合致するコンテンツだけを閲覧、または操作する。
【００６６】
コンテンツ４１は、「イベント情報」と、「グルメ情報」の２種類のカテゴリの情報から構成されているコンテンツであるが、受信端末３１においては、コンテンツ条件として「グルメ情報」を設定しているので、「グルメ情報」だけを閲覧、または操作することが可能で、「イベント情報」は、閲覧、または操作の対象外となる。
【００６７】
受信端末３１においてコンテンツを閲覧した場合、情報書き込み手段１２により、閲覧したことを示す情報をコンテンツ４１に書込む。コンテンツ４１に対して書き込んだ情報により、表示内容を変更する、閲覧対象から外すなどの制御を行うことができる。
【００６８】
更に、受信端末３１は、コンテンツ４１を受信して「グルメ情報」を閲覧したことなどを示す閲覧情報とコンテンツ４１に付加されていた配信履歴情報を、閲覧結果検証端末１５に対して送信する。
【００６９】
閲覧結果検証端末１５は、受信端末３１が送信した閲覧情報および配信履歴情報を、受信し、記憶し、コンテンツ４１の効果などの検証に利用する。検証結果により受信端末３１に対して、メッセージや関連する情報などを送信する。
【００７０】
また、コンテンツ４１の「グルメ情報」に割り引きクーポンを付加していたような場合、受信端末３１の該クーポンの利用記録が店舗システムなどから渡されることにより、「クーポン使用済」という情報を受信端末３１に送信することも可能である。もちろん、受信端末３１や店舗システムにおいて「使用済」にしてもよい。
【００７１】
消去手段１３は、コンテンツ４１の状態を監視し、閲覧可能時間情報により指定された時間が経過したなどの消去可能な状態であった場合には、コンテンツ４１を蓄積手段７から自動的に消去する。
【００７２】
同様に、受信端末３１は、配信端末２２の周辺に近づいた時、コンテンツ４２を受信し蓄積するが、コンテンツ４２は、「おみやげ情報」であるため、閲覧、または操作の対象外となる。
【００７３】
受信端末３１は、自分の周辺に受信端末３２を検知した場合、受信端末３２に対してコンテンツ４２を転送する。コンテンツ４２は、閲覧、または操作の対象外であるから、消去可能な状態になった時点で、消去手段１３が自動的にコンテンツ４２を消去する。
【００７４】
受信端末３２は、配信端末２２、または受信端末３１の周辺に近づいた時、配信端末２２が配信したコンテンツ４２、または受信端末３１が転送したコンテンツ４２を受信する。
【００７５】
受信端末３２は、どちらか最初に受信したコンテンツ４２の原本性を確認し、蓄積する。コンテンツ４２は、受信端末３２に設定した「おみやげ情報」であるため、閲覧、および操作を行うことができる。
【００７６】
受信端末３２は、受信端末３１を含む他の受信端末を自分の周辺において検知した場合、受信端末３１により説明したものと同様に、コンテンツ４２の転送を行う。
【００７７】
以上、本発明を実施の形態に基づいて詳細に説明してきたが、本発明によるコンテンツ配信システムは、上述の実施の形態に何ら限定されるものではなく、本発明の趣旨を逸脱しない範囲において種々の変更が可能なことは当然のことである。
【００７８】
【発明の効果】
以上のとおりであるから、本発明に係るコンテンツ配信システムによれば、利用者の個人情報を登録することなく、コンテンツ配信者が不特定多数に配信するコンテンツの中から、利用者が所望するコンテンツだけを収集し、閲覧および操作することが可能になる。
【００７９】
また、閲覧結果検証端末により、コンテンツの配信者は、閲覧情報および配信履歴情報に基づいて、該コンテンツの効果を検証することができる。
【図面の簡単な説明】
【図１】本発明のコンテンツの一実施例である。
【図２】本発明のコンテンツ配信システムのシステム構成図である。
【図３】本発明の受信端末の内部構造図である。
【図４】本発明の閲覧結果検証端末の内部構造図である。
【図５】本発明のコンテンツ配信システムの動作の説明するための一実施例である。
【符号の説明】
１　コンテンツ配信システム
２、２１、２２　配信端末
３、３１、３２　受信端末
４　記憶手段
５　配信手段
６　受信手段
７　蓄積手段
８　条件設定手段
９　閲覧操作手段
１０　改ざん確認手段
１１　中継手段
１２　情報書き込み手段
１３　消去手段
１４　閲覧配信履歴送信手段
１５　閲覧結果検証端末
１６　閲覧配信履歴受信手段
１７　閲覧配信履歴記憶手段
１８　検証手段
１９　送信手段
４１、４２　コンテンツ
【図１】
2004110645.tif 000003
【図２】
2004110645.tif 000004
【図３】
2004110645.tif 000005
【図４】
2004110645.tif 000006
【図５】
2004110645.tif 000007